【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
面に対して物品を吊り下げるための吊り具であって、
概ね平坦な下面及び周辺部を有し、前記下面が前記面の上に乗って摩擦係合するように設けられている基部と、
第１のリンク及び最後のリンクを有する鎖を形成するよう旋回可能に連続して互いに連結されている複数のリンクと、
前記第１のリンクが前記基部に対して第１の位置と第２の位置との間で旋回可能であるように、前記基部と前記複数のリンクの第１のリンクとを旋回可能に連結する旋回軸ピンと、
前記最後のリンクを前記基部と連結するための手段とを備え、
前記最後のリンクの一部は前記基部内に延在し、
前記複数のリンクは、前記第１のリンクが第１の位置にあって、前記複数のリンクが前記基部の周辺部に概ね隣接して位置する収納形態と、前記第１のリンクが第２の位置にあって、前記基部が前記面上に位置するときに前記物品がフックに吊り下がり得るように前記複数のリンクがフックを形成する機能的形態との間で旋回するように設けられている、吊り具。
【請求項２】
前記連結するための手段は、
前記最後のリンクの終端部から延在し、ボール端部に延在するピンと、
前記基部の周辺部のボール受け部とを含み、
前記ボール受け部は、前記前記最後のリンクが前記基部に取り外し可能に係合され得るように、かつ前記基部及び前記複数のリンクが共にループを形成するように、前記ピンを受けるとともに前記ボール端部を係止して係合する形状の溝を有する、請求項１に記載の吊り具。
【請求項３】
前記基部は、前記下面の反対側の上面と、前記上面上に位置する装飾的な印とを含む、請求項１に記載の吊り具。
【請求項４】
前記複数のリンクの最後のリンクは、前記物品と係合するように設けられている凹状の内側面を含む、請求項１に記載の吊り具。
【請求項５】
前記最後のリンクの一部は前記基部の周辺部内に延在する、請求項１に記載の吊り具。
【請求項６】
前記複数のリンクを前記収納形態に固定する係止手段をさらに備える、請求項１に記載の吊り具。
【請求項７】
前記係止手段は磁石を含む、請求項６に記載の吊り具。
【請求項８】
対象物を吊り下げるための吊り具であって、
実質的に平坦な下面および周辺部を有する基部と、
第１のリンク及び最後のリンクを含む複数のリンクであって、前記第１及び最後のリンクが前記基部に選択的に取り付けられるような環状形態を形成するように設けられており、各々が対応する内側面を有する、複数のリンクと、
前記複数のリンクが、（ｉ）前記対象物を吊り下げるための支持構造を前記最後のリンクが提供する機能的形態と、（ｉｉ）各前記リンクの前記内側面が前記基部の周辺部に当接する収納形態との間で可動であるように、前記第１のリンクを前記基部に連結する連結具とを備える、吊り具。
【請求項９】
前記支持構造はフックである、請求項８に記載の吊り具。
【請求項１０】
前記複数のリンクを前記収納形態に選択的に固定する係止手段をさらに備える、請求項８に記載の吊り具。
【請求項１１】
前記係止手段は磁石を含む、請求項１０に記載の吊り具。
【請求項１２】
前記環状形態において、前記最後のリンクが少なくとも部分的に前記基部の周辺部内に延在する、請求項８に記載の吊り具。
【請求項１３】
面に対して物品を吊り下げるための吊り具であって、
概ね平坦な下面及び周辺部を有し、前記下面が前記面の上に乗るように設けられている基部と、
第１のリンク及び最後のリンクを有する鎖を形成する複数のリンクであって、前記第１のリンクは、前記基部の周辺部に移動可能に連結されており、前記最後のリンクは、前記基部と連結するように設けられている、複数のリンクと、
前記最後のリンクの終端部から延在し、ボール端部を含むピンと、
前記基部の周辺部に沿ったボール受け部とを備え、
記ボール受け部は、前記ピンを受けるとともに前記ボール端部を係止して係合する形状の溝を有し、
前記鎖は、前記鎖が前記基部の周辺部と接触する収納形態と、前記基部が前記面上に位置するときに前記物品を懸架するように設けられるフックを前記鎖が形成する機能的形態との間で動くように設けられている、吊り具。
【請求項１４】
面に対して物品を吊り下げるための吊り具であって、
下面及び周辺部を有し、前記下面が前記面と接触するように設けられている基部と、
第１のリンク及び最後のリンクを有する鎖を形成する複数のリンクであって、前記第１のリンクは、前記基部の周辺部に移動可能に連結されており、前記鎖は、（ｉ）前記基部の下面が前記面と接触するときに前記物品を懸架するように設けられる支持構造を前記鎖が形成する機能的形態と、（ｉｉ）前記鎖の少なくとも一部が前記基部の周辺部に概ね隣接して位置する収納形態との間で移動可能である、複数のリンクと、
前記収納形態において、前記基部の周辺部に対して前記鎖の少なくとも一部を選択的に固定する係止手段とを備え、前記係止手段は磁石を含む、吊り具。
【請求項１５】
面に対して物品を吊り下げるための吊り具であって、
下面及び周辺部を有し、前記下面が前記面と接触するように設けられている基部と、
第１のリンク及び最後のリンクを有する鎖を形成する複数のリンクであって、前記第１のリンクは、前記基部の周辺部に移動可能に連結されており、前記鎖は、（ｉ）前記基部の下面が前記面と接触するときに前記物品を懸架するように設けられる支持構造を前記鎖が形成する機能的形態と、（ｉｉ）前記鎖の少なくとも一部が前記基部の周辺部に概ね隣接して位置する収納形態との間で移動可能である、複数のリンクと、
前記収納形態において、前記基部の周辺部に対して前記鎖の少なくとも一部を選択的に固定する係止手段とを備え、前記係止手段は第１の磁石および第２の磁石を含む、吊り具。
【請求項１６】
前記最後のリンクは、前記基部の周辺部と連結するように設けられている、請求項１５に記載の吊り具。
【請求項１７】
面に対して物品を吊り下げるための吊り具であって、
概ね平坦な下面及び周辺部を有し、前記下面が前記面の上に乗って摩擦係合するように設けられている基部と、
第１のリンク及び最後のリンクを有する鎖を形成するよう旋回可能に連続して互いに連結されている複数のリンクと、
前記第１のリンクが前記基部に対して第１の位置と第２の位置との間で旋回可能であるように、前記基部の周辺部と前記第１のリンクとを旋回可能に連結する旋回軸ピンと、
前記複数のリンクを前記収納形態に固定する、第１の磁石および第２の磁石を含む係止手段とを備え、
前記複数のリンクは、前記第１のリンクが第１の位置にあって、前記複数のリンクが前記基部の周辺部に接触する収納形態と、前記第１のリンクが第２の位置にあって、前記基部が前記面上に位置するときに前記物品がフックに吊り下がり得るように前記複数のリンクがフックを形成する機能的形態との間で旋回するように設けられた、吊り具。
【請求項１８】
前記第１の磁石は前記基部の周辺部に取り付けられており、前記第２の磁石は前記複数のリンクのうちの１つに取り付けられている、請求項１７に記載の吊り具。
【請求項１９】
面に対して物品を吊り下げるための吊り具であって、
概ね平坦な下面及び周辺部を有し、前記下面が前記面の上に乗るように設けられている基部と、
第１のリンク及び最後のリンクを有する鎖を形成する複数のリンクであって、前記第１のリンクは、前記基部の周辺部に移動可能に連結されており、前記最後のリンクは、前記基部と連結するように設けられている、複数のリンクと、
前記収納形態において前記鎖を選択的に固定する、磁石を含む係止手段とを備え、
前記鎖は、前記鎖が前記基部の周辺部と接触する収納形態と、前記基部が前記面上に位置するときに前記物品を懸架するように設けられるフックを前記鎖が形成する機能的形態との間で動くように設けられている、吊り具。
【請求項２０】
前記複数のリンクが前記機能的形態と前記収納形態との間で可動であるように前記第１のリンクを前記基部に連結する連結具をさらに備える、請求項１９に記載の吊り具。